(57)【要約】【課題】上下分割した２枚扉で防犯性を低下させることなく、かつ防犯性を考慮し、上下搭載物の操作を行う場合に２枚の扉を開く必要がなく、操作性を向上させる。【解決手段】現金自動取引装置のような後面機筐体で、制御部等を搭載する上部筐体１と、現金部を搭載する下部筐体２からなり、上扉１の開閉操作では上扉１しか開閉施錠できず、下扉２の開閉操作で上扉１のロック機構を上に押し上げて上部扉１のロックを外し、さらに、上扉１と下扉２とが連結され、上扉１を操作することなく、上扉１が同時に開閉可能となる。また、上部扉１が開いた状態では、下扉２の開閉操作はできず、下部扉２を操作して上部扉１と同時に開いた状態で、キー操作しても上下扉の連結が外れることがない。【選択図】　　　　図１
2004060209.tif 000002
【特許請求の範囲】
【請求項１】
筐体が上下に分かれ、それに伴い扉も上下で分割している上下分割扉構造において、
上扉の開閉操作により該上扉のみ開閉施錠される第１の機構と、
下扉の開閉操作で該上扉のロック機構を上に押し上げて、該上扉のロックを外し、さらに、該上扉と該下扉とが連結されて、該上扉を同時に開閉可能にする第２の機構と
を具備することを特徴とした上下分割扉構造。
【請求項２】
請求項１記載の上下分割扉構造において、
前記上扉が開いた状態では、下扉の開閉操作を防止する第３の機構と、
該下扉を操作し、該上扉と同時に開いた状態では、キー操作しても上下扉の連結を持続させる第４の機構とを具備することを特徴とした上下分割扉構造。
【請求項３】
請求項１記載の上下分割扉構造において、
前記上扉の開閉を検知する位置に、扉の開閉検知センサを設け、上下扉の開閉検知を可能にすることを特徴とした上下分割扉構造。
【発明の詳細な説明】
【０００１】
【発明の属する技術分野】
本発明は、現金自動取引装置のような後面機筐体で、制御部等を搭載する上部筐体と、現金部を搭載する下部筐体からなり、上下それぞれ扉を有する上下分割扉構造に関するものである。
【０００２】
【従来の技術】
従来の現金自動取引装置では、下部は現金取扱部および電源部等が内蔵することから、防犯の為に金庫構造にしており、上部は顧客媒体のカード機構、通帳機構や顧客操作パネル等が内蔵されているため、セキュリティはあまり必要としない構造となっている。このことから、上部筐体と下部筐体は分かれており、それに伴って扉も上下に分かれている。従来の上下分割扉構造は、上下それぞれの扉に鍵およびロック機構を実装し、個々に扉の施錠および開閉するものが一般的である。また、上下扉の片側のみの鍵の実装で、上下の扉を施錠できるという提案がなされており（例えば、特開平１１−２９６７３１号公報参照）、扉は個々に開閉でき、扉開閉検知センサを扉ごとに設置していた。
【０００３】
【発明が解決しようとする課題】
前述のように、従来の現金自動取引装置では、防犯のため、制御部等を搭載する上部筐体と、現金部を搭載する下部筐体に分ける必要があり、これに伴って扉を分割していたが、筐体内部を操作する場合、２枚扉をそれぞれ開閉しなければならず、極めて操作性が悪かった。また、上部と下部の両方の筐体に扉開閉検知センサを設置する必要があり、その分だけ部品も多く必要となっていた。
【０００４】
そこで、本発明の目的は、上下に分かれている扉を有する筐体の防犯性を低下させることなく、操作性を向上させ、かつ一方のみ扉開閉検知センサを設置するだけで上下扉の開閉を検知できる構造の上下分割扉構造を提供することにある。
【０００５】
【課題を解決するための手段】
本発明の上下分割扉構造は、筐体が上下に分かれ、それに伴い扉も上下で分割しており、それぞれ鍵およびロック機構を設置した扉を有する上下分割扉構造であって、上部筐体には複数の爪とＬ型に曲がった形状を有する上下に摺動可能なスライドバーと、鍵と、該鍵を回転させることでスライドバーのＬ型部を押し上げることができる鍵に固定した摺動補助板と、扉下部に設けた角穴部の上に前後に摺動可能なＬ型の保持金具と扉と連結したバネを設置し、上扉に設けたスライドバーの爪を引っ掛けることができる複数の角穴または突起部を有するロックプレートを上部筐体側面に設ける。
【０００６】
また、上部筐体と下部筐体の間の切欠きを有する中間棚には、切欠き部の上に摺動可能なガード金具と、ガード金具と中間棚を連結したバネを設置する。
下部筐体には、上扉と同じ回転軸を有したヒンジと、上扉と同様の動作を行えるが上部に上扉に設置した保持金具が引っ掛かる溝と複数の爪を有する下スライドバーと鍵と摺動補助板を設置し、下スライドバーが通過できる角穴を有した下扉と、上部筐体と同様に下スライドバーの爪を引っ掛けることができる角穴または突起部を有するロックプレートを設ける。
【０００７】
本発明によれば、上部扉の開閉操作では上扉しか開閉施錠できず、下部扉の開閉操作では下部扉と上部扉を同時に開閉できる構造であり、上下筐体内部の保守等の操作を行う場合は、下部扉の開閉施錠操作を行うだけで上部扉を同時に開閉施錠でき、操作性を向上させる。また、上部筐体側のみに扉開閉検知センサを設置するだけで、上下扉の開閉検知ができる。
【０００８】
【発明の実施の形態】
以下、本発明の実施形態を、図面により詳細に説明する。
（第１の実施形態）
図１から図６までは、本発明の第１の実施形態に関するものである。
図１は、本発明の第１実施形態における上下分割扉構造の外観斜視図である。
上部筐体２８には、ヒンジ３を介すことで回転可能な、複数の爪９を有する上下摺動可能な上スライドバー５を設置した上扉１を取り付け、上扉１に取り付けた上スライドバー５の爪９を引っ掛けることができる引っ掛け穴２２を有する上ロックプレート７を設置している。
【０００９】
下部筐体２９には、上扉１と同様に、上ヒンジ３と同じ回転軸を有する下ヒンジ４を介して、複数の爪９を有する上下摺動可能な下スライドバー６を設置した下扉２を取り付け、下扉２に取り付けた下スライドバー６の爪３０を引っ掛けることができる引っ掛け穴３１を有する下ロックプレート８を設置している。上下筐体を仕切る切欠き１４を有した中間棚１３には、ガード金具バネ２１により連結された前後に摺動可能なガード金具２７を設置しており、ガード金具２７はガード金具バネ２１により常に矢印Ａ方向に引っ張られている。
【００１０】
図２は、本発明の第１の実施形態における上扉の施錠部の斜視図である。
上扉１には、鍵１１と、鍵１１に固定し鍵１１を回すことで同時に回転可能な摺動補助板１２を設置し、鍵１１を矢印Ｂ方向に回すことで鍵１１に固定された摺動補助板１２が回転し、Ｌ部１０を押し上げて上方向に摺動する。また、鍵１１をＣ方向へ回転すると、自重またはバネ力により下方向に摺動する上スライドバー５を設置することで、上スライドバー５の爪９を上部筐体２８に設置した上ロックプレート７の引っ掛け穴２２に引っ掛けることができ、上扉１を施錠できる。上扉１の下部には、上扉角穴１６と上扉１と保持金具バネ１７で連結した前後摺動可能な保持金具１５を設置しており、保持金具１５は保持金具バネ１７により常に矢印Ｄ方向に引っ張られている。
【００１１】
図３は、本発明の第１の実施例の形態における下扉の施錠部の斜視図である。
下扉角穴１８を有する下扉２にも、鍵１１と、鍵１１に固定し鍵１１を回すことで同時に回転可能な摺動補助板１２と、鍵１１を矢印Ｅ方向に回すことで鍵１１に固定された摺動補助板１２が回転し、Ｌ部１０を押し上げて上方向に摺動し、鍵１１をＦ方向へ回転すると自重またはバネ力により下方向に摺動する下スライドバー６を設置する。下スライドバー６の爪３０を、下部筐体２９に設置した下ロックプレート８の引っ掛け穴３１に引っ掛けられることができ、下扉２を施錠できる。
【００１２】
以上のように構成された上下分割扉構造について、以下に、その動作を説明する。
図４は、本発明の第１の実施形態における上下扉がロックされた状態の断面図である。また、図８は、図４のＧ−Ｇ面で切断した断面図である。
この断面図には、上扉１の上スライドバー５と、下扉２の下スライドバー６にそれぞれ接触した上ロックプレート７と下ロックプレート８の両方が示されている。保持金具バネ１７で連結した前後摺動可能な保持金具１５および保持金具バネ２７で連結されたガード金具２７が設置されており、その上面のＧーＧ面で切断した断面図を図８に示す。
【００１３】
図４に示すように、下スライドバー６は下扉２の下扉角穴１８を通過し突出した状態で、中間棚１３の切欠き１４に入り込んだ状態で、ロック下扉２はロックされる（図４の状態）。すなわち、下ロックプレート８の切欠き部に爪３０が係止される。上扉１に設置した保持金具１５の曲げ部は中間棚１３の切り欠き１４が無い部分で押されて上扉１のフランジ２０に押し付けられる状態となる。
下扉２をロック解除すると、下扉２に設置した下スライドバー６は上方向に移動して上スライドバー５を押し上げることで、上扉１のロックを解除でき、上扉１を開くことができる。すなわち、上扉１の上スライドバー５が押し上げられると、上ロックプレート７の切欠き部から爪９が外れるため、ロックが解除される。
上扉１に設けたフランジ２０により、中間棚１３の切り欠き１４と保持金具１５を覆うことで、外面から接触することはできない。中間棚１３に設置したガード金具２７は上扉１に押された状態となる。
【００１４】
図４に示すように、上扉１の上スライドバー５は上ロックプレート７の切欠き部に爪９が係止されるので、それ以上下方に移動できないが、下扉２の下スライドバー６は、下ロックプレート８の切欠き部から爪３０が外れると、上方は自由に移動できるので、下スライドバー６のみが上扉１のロックを解除することができる。
図８の平面断面図から明らなように、ガード金具バネ２１により連結された摺動可能なガード金具２７が設置されており、ガード金具２７はガード金具バネ２１により常に矢印Ａ方向に引っ張られている。一方、上扉１の下部では、保持金具バネ１７で連結された摺動可能な保持金具１５が設置されており、保持金具１５は保持金具バネ１７により常に矢印Ｄ方向に引っ張られている。上扉１が開いている状態では、ガード金具２７がＡ方向に突き出すことで、下スライドバー６が上方に移動するのを防止する。すなわち、下扉２は、上扉１が開いている状態では、下スライドバー６の爪３０を外すことができず、従って、下扉２を開けない。
一方、下スライドバー６が上方に移動して、上スライドバー５の爪９を外す場合には、下スライドバー６が通過することで、保持金具１５の曲げ部は、中間棚１３の切り欠き１４が無い部分で押されて上扉１のフランジ２０に押し付けられる状態となる。
【００１５】
図５は、本発明の第１の実施形態における上扉を開いた状態の断面図である。ガード金具２７は、ガード金具バネ２１によりＡ方向に移動し、中間棚１３の切り欠き１４を覆うことで、下扉２に設置した下スライドバー６がガード金具２７に当たり、ロック解除位置まで移動できず、下扉２を開くことはできない。上扉１の保持金具１５は保持金具バネ１７により矢印Ｄ方向に引っ張られた状態となる。
【００１６】
図６は、本発明の第１実施形態における下扉を開いた状態の断面図である。
下扉２に設置した下スライドバー６をロック解除位置まで移動すると、上扉１の上扉角穴１６を通過して上スライドバー５を押し上げることで、上スライドバー５のロック解除を同時に行うことができる。この状態で下扉２を開くと、下スライドバー６で連結された上扉１が同時に開き、中間棚１３で押されていた保持金具１５が保持金具バネ１７により矢印Ｄ方向に移動して下スライドバー６の溝１９に入り込み、下スライドバー６および下スライドバー６に押し上げられている上スライドバー５はロック位置に移動できず、上下扉の連結は外れることはなく、誤操作を防止できる。
【００１７】
（第２の実施形態）
次に、本発明の第２の実施形態を、図７により説明する。
図７は、本発明の第２の実施形態における下扉の施錠部の斜視図である。
第１の実施形態では、図３に示すように、鍵１１を矢印Ｅ方向に回すことで、Ｌ部１０を押し上げて上方向にスライドバーを移動させ、鍵１１を矢印Ｆ方向に回すことで、自重またはバネ力により下方向に下スライドバーを移動させていた。これに対して、第２の実施形態では、ロックプレート２６を持って矢印Ｆ方向に動かすことで、歯車２５の動作によりスライドバー２４を上方に移動させ、ロックプレート２６を矢印Ｅ方向に動かすことで、スライドバー２４を下方に移動させている。
【００１８】
このように、下部筐体が金庫構造となっている場合、扉に設置する施錠機構はロックプレート２６のように左右方向に摺動し施錠される場合があるが、図７に示すような構造でも良い。すなわち、歯車２５と、歯車２５とかみ合うことのできる波形と溝３２を設けた上下摺動可能な金庫スライドバー２４を設置し、ロックプレート２６の上部に歯車２５とかみ合うことのできる波形を設けることで、ロックプレート２６を矢印Ｅ方向（施錠位置）へ移動すると、金庫スライドバー２４は上方向に移動し、ロックプレート２６をＦ方向（施錠解除）方向に移動すると、金庫スライドバー２４は下方向に移動する。
【００１９】
以上のように、本実施形態の上下分割扉構造は、上扉１を開いた状態では、下扉２の鍵１１を操作しても下扉２を開くことができない。下扉２を施錠解除すると、同時に上扉１の施錠解除ができ、かつ、下スライドバー６が上扉１と連結できることにより、下扉２を開くと、上扉１も開くことができる。下扉２を開いた状態では、上下扉の連結は外れることはない。なお、上部筐体側のガード金具２７が扉開閉検知センサの役目を果している。
【００２０】
【発明の効果】
以上説明したように、本発明によれば、防犯性を考慮した２枚扉の構造のままで、上下搭載物の操作を行う場合に２枚の扉を開く必要がないため、操作性を向上させることができる。また、上部筐体側のみに扉開閉検知センサを設置するだけで、上下扉の開閉検知を可能にする。
【図面の簡単な説明】
【図１】本発明の第１の実施形態における上下分割扉構造の外観斜視図である。
【図２】本発明の第１の実施形態における上扉の施錠部の斜視図である。
【図３】本発明の第１の実施形態における下扉の施錠部の斜視図である。
【図４】本発明の第１の実施形態における上下扉がロックされた状態の断面図である。
【図５】本発明の第１の実施形態における上扉を開いた状態の断面図である。
【図６】本発明の第１の実施形態における下扉を開いた状態の断面図である。
【図７】本発明の第２の実施形態における下扉の施錠部の斜視図である。
【図８】図４のＧ−Ｇ面で切断した断面図である。
【符号の説明】
１　上扉
２　下扉
３　上ヒンジ
４　下ヒンジ
５　上スライドバー
６　下スライドバー
７　上ロックプレート
８　下ロックプレート
９　爪
１０　Ｌ部
１１　鍵
１２　摺動補助板
１３　中間棚
１４　切欠き
１５　保持金具
１６　上扉角穴
１７　保持金具バネ
１８　下扉角穴
１９　溝
２０　フランジ
２１　ガード金具バネ
２２　引っ掛け穴
２３　金庫扉
２４　金庫スライドバー
２５　歯車
２６　ロックプレート
２７　ガード金具
２８　上部筐体
２９　下部筐体
３０　爪
３１　引っ掛け穴
３２　溝
【図１】
2004060209.tif 000003
【図２】
2004060209.tif 000004
【図３】
2004060209.tif 000005
【図４】
2004060209.tif 000006
【図５】
2004060209.tif 000007
【図６】
2004060209.tif 000008
【図７】
2004060209.tif 000009
【図８】
2004060209.tif 000010